(57)【要約】【課題】  量産された大量のコモンモードチョークコイルの特性インピーダンスを非破壊で簡易且つ迅速に選別することができるコモンモードチョークコイル選別方法を提供する。【解決手段】  コモンモードチョークコイル１の巻線１２を短絡させた状態で、所定周波数の信号を通して巻線１１のインダクタンス値を測定し、その測定結果と選別表とを対比する。具体的には、特性インピーダンス値が既知であるコイルの一方の巻線の両端を短絡させた状態で、他方の巻線のインダクタンス値と上記既知の特性インピーダンス値との相関を選別表に表しておく。そして、上記所定周波数における巻線１１の測定インダクタンス値と選別表の特性インピーダンス値とを対比し、対応した特性インピーダンス値が所望の特性インピーダンス値にほぼ一致した場合に、当該選別対象のコイル１は所望の特性インピーダンス値を有するものとして、選別する。【選択図】図４
2005235853.tif 000002
【特許請求の範囲】
【請求項１】
特性インピーダンスが既知のコモンモードチョークコイルが有する複数本のラインのうち、一のラインを除く他のラインの両端をそれぞれ短絡させた状態で、当該一のラインに所定周波数の信号を通して得た当該一のラインのインダクタンス値と上記既知の特性インピーダンス値との相関を示す選別表を作成する選別表作成過程と、
選別対象のコモンモードチョークコイルのラインのうち一のライン以外のラインの両端を短絡させる短絡処理過程と、
上記選別対象のコモンモードチョークコイルの上記一のラインに、上記所定周波数の信号を通して、当該一のラインのインダクタンス値を測定するインダクタンス測定過程と、
上記インダクタンス測定過程で得た測定インダクタンス値と上記選別表の特性インピーダンス値とを対比し、対応した特性インピーダンス値が所望の特性インピーダンス値にほぼ一致する場合に、当該選別対象のコモンモードチョークコイルは上記所望の特性インピーダンス値を有するものとして選別するコイル選別過程と、
を具備することを特徴とするコモンモードチョークコイル選別方法。
【請求項２】
特性インピーダンスが既知のコモンモードチョークコイルが有する複数本のラインのうち、一のラインを除く他のラインの両端をそれぞれ短絡させた状態で、当該一のラインに所定周波数の信号を通して得た当該一のラインのインダクタンス値と上記既知の特性インピーダンス値との相関を示す選別表を作成する選別表作成過程と、
上記選別表に基づいて、所望の特性インピーダンス値の範囲に対応したインダクタンス値の範囲を特定する許容インダクタンス範囲特定過程と、
選別対象のコモンモードチョークコイルのラインのうち一のライン以外のラインの両端を短絡させる短絡処理過程と、
上記選別対象のコモンモードチョークコイルの上記一のラインに、上記所定周波数の信号を通して、当該一のラインのインダクタンス値を測定するインダクタンス測定過程と、
上記インダクタンス測定過程で測定した選別対象のインダクタンス値が、上記許容インダクタンス範囲特定過程で特定した上記インダクタンス値の範囲内である場合に、当該選別対象のコモンモードチョークコイルは上記所望の特性インピーダンス値を有するものとして選別するコイル選別過程と、
を具備することを特徴とするコモンモードチョークコイル選別方法。
【請求項３】
請求項１または請求項２に記載のコモンモードチョークコイル選別方法において、
上記コモンモードチョークコイルは、２本の上記ラインを有するものである、
ことを特徴とするコモンモードチョークコイル選別方法。
【請求項４】
請求項１ないし請求項３のいずれかに記載のコモンモードチョークコイル選別方法において、
上記選別表作成過程は、異なる複数種類の周波数について、上記選別表を複数作成するものである、
ことを特徴とするコモンモードチョークコイル選別方法。
【請求項５】
請求項１ないし請求項４のいずれかに記載のコモンモードチョークコイル選別方法において、
上記コモンモードチョークコイルのラインが、絶縁被覆導線である、
ことを特徴とするコモンモードチョークコイル選別方法。
【請求項６】
請求項１ないし請求項４のいずれかに記載のコモンモードチョークコイル選別方法において、
上記コモンモードチョークコイルのラインが、平行平板電極で構成されている、
ことを特徴とするコモンモードチョークコイル選別方法。
【発明の詳細な説明】
【技術分野】
【０００１】
この発明は、伝送信号系などに使用されるコモンモードチョークコイルの特性インピーダンスを選別するためのコモンモードチョークコイル選別方法に関するものである。
【背景技術】
【０００２】
一般に、コモンモードチョークコイルは、２本のラインを有し、ラインを往復して流れるノーマルモード電流に対しては、２本のラインを流れる電流によって生じる磁束の打ち消しによって、インピーダンスが極小となり、また、２本のラインの電流が同一方向となるコモンモード電流に対しては、２本のラインに生じる磁束の足し合わせによって、大きなインピーダンスが発生することを利用して、コモンモードノイズを阻止するコイル部品である。
このようなコモンモードチョークコイルは、パーソナルコンピュータや携帯電話等のインタフェース部に使用されるが、規格によってその特性インピーダンスが定められている。例えば、ＤＶＩ（Digital Visual Interface）規格では約１００Ω、ＵＳＢ（Universal Serial Bus）規格では約９０Ω、ＨＤＭＩ（High Definition Multimedia Interface）規格では約１００Ω、ＩＥＥＥ（Institute of Electrical and Electronics Engineers）１３９４規格では約１１０Ωの特性インピーダンスをそれぞれ有したコモンモードチョークコイルが必要である。
したがって、製造ラインにおいて、量産されたコモンモードチョークコイルが所望の特性インピーダンスを有しているか否かを選別する必要がある。
かかる選別方法として、ＴＤＲ（Time Domain Reflectometry）による特性インピーダンス測定方法がある。
しかし、この測定方法は、コモンモードチョークコイルを評価基板に半田付けして実装した状態で、特性インピーダンスを測定する、いわゆる破壊測定試験であるので、量産品の選別方法として適していない。また、ＴＤＲオシロスコープの測定端子をコモンモードチョークコイルのラインに接触させて、特性インピーダンスを直接測定する方法もあるが、測定端子の接触具合によって、測定値にバラツキが生じるため、選別精度に劣る。
【０００３】
そこで、発明者は、プリント配線板の特性インピーダンスを測定する従来の技術をコモンモードチョークコイルに転用することを考えた（例えば、特許文献１参照）。
図８は、上記従来の技術を説明するための斜視図である。
この技術は、図８に示すように、厚みｔの配線導体１０１と厚みＨの絶縁材１０２と接地面導体１０３とでなるプリント配線板１００において、電位差計２１０のプローブ２１０ａ，２１０ｂと定電流源２１１のプローブ２１１ａ，２１１ｂとを用いて、配線導体１０１の直流抵抗値を測定することにより、配線導体１０１の幅Ｗを求める。そして、この配線導体１０１の幅Ｗから特性インピーダンスを導き出すようにしている。
【０００４】
【特許文献１】特開平０７−１２８３７９号公報
【発明の開示】
【発明が解決しようとする課題】
【０００５】
しかし、上記した従来の技術では、配線導体１０１の厚みｔと絶縁材１０２の厚さＨとが既知であり且つ一様であるという前提のもとにプリント配線板１００の特性インピーダンスが測定可能である。したがって、実用上、配線導体１０１の厚みｔや絶縁材１０２の厚みＨがプリント配線板１００上の位置によらず一定であること、及び、接地面導体１０３がプリント配線板１００の全面に設けられていることが前提となる。しかしながら、実際の製品では、これらの条件が満たされているとは限らない。すなわち、コモンモードチョークコイルには、図８に示すマイクロストリップ型のコモンモードチョークコイルだけでなく、巻線型コモンモードチョークコイル等、形状が異なるものがあり、このようなコイルを測定する場合には、大量のコモンモードチョークコイルの特性インピーダンスを簡易且つ迅速に選別することは不可能である。
【０００６】
この発明は、上述した課題を解決するためになされたもので、量産された大量のコモンモードチョークコイルの特性インピーダンスを非破壊で簡易且つ迅速に選別することができるコモンモードチョークコイル選別方法を提供することを目的とする。
【課題を解決するための手段】
【０００７】
上記課題を解決するために、請求項１の発明に係るコモンモードチョークコイル選別方法は、特性インピーダンスが既知のコモンモードチョークコイルが有する複数本のラインのうち、一のラインを除く他のラインの両端をそれぞれ短絡させた状態で、一のラインに所定周波数の信号を通して得た一のラインのインダクタンス値と既知の特性インピーダンス値との相関を示す選別表を作成する選別表作成過程と、選別対象のコモンモードチョークコイルのラインのうち一のライン以外のラインの両端を短絡させる短絡処理過程と、選別対象のコモンモードチョークコイルの一のラインに、所定周波数の信号を通して、一のラインのインダクタンス値を測定するインダクタンス測定過程と、インダクタンス測定過程で得た測定インダクタンス値と選別表の特性インピーダンス値とを対比し、対応した特性インピーダンス値が所望の特性インピーダンス値にほぼ一致する場合に、選別対象のコモンモードチョークコイルは所望の特性インピーダンス値を有するものとして選別するコイル選別過程とを具備する構成とした。
かかる構成により、選別表作成過程において、特性インピーダンス値が既知のコモンモードチョークコイルにおける一のラインのインダクタンス値と上記既知の特性インピーダンス値との相関を示す選別表が作成される。そして、短絡処理過程によって、選別対象のコモンモードチョークコイルの一のライン以外のラインのそれぞれの両端が短絡され、インダクタンス測定過程によって、選別対象のコモンモードチョークコイルの一のラインのインダクタンス値が測定される。しかる後、コイル選別過程によって、インダクタンス測定過程で得た測定インダクタンス値と選別表の特性インピーダンス値とが対比され、対応した特性インピーダンス値が所望の特性インピーダンス値にほぼ一致した場合に、当該選別対象のコモンモードチョークコイルが所望の特性インピーダンス値を有するものとして選別される。
【０００８】
請求項２の発明に係るコモンモードチョークコイル選別方法は、特性インピーダンスが既知のコモンモードチョークコイルが有する複数本のラインのうち、一のラインを除く他のラインの両端をそれぞれ短絡させた状態で、当該一のラインに所定周波数の信号を通して得た当該一のラインのインダクタンス値と既知の特性インピーダンス値との相関を示す選別表を作成する選別表作成過程と、選別表に基づいて、所望の特性インピーダンス値の範囲に対応したインダクタンス値の範囲を特定する許容インダクタンス範囲特定過程と、選別対象のコモンモードチョークコイルのラインのうち一のライン以外のラインの両端を短絡させる短絡処理過程と、選別対象のコモンモードチョークコイルの一のラインに、所定周波数の信号を通して、当該一のラインのインダクタンス値を測定するインダクタンス測定過程と、インダクタンス測定過程で測定した選別対象のインダクタンス値が、許容インダクタンス範囲特定過程で特定したインダクタンス値の範囲内である場合に、当該選別対象のコモンモードチョークコイルは所望の特性インピーダンス値を有するものとして選別するコイル選別過程とを具備する構成とした。
かかる構成により、選別表作成過程において、特性インピーダンス値が既知のコモンモードチョークコイルにおける一のラインのインダクタンス値と上記既知の特性インピーダンス値との相関を示す選別表が作成され、許容インダクタンス範囲特定過程において、上記選別表に基づいて、所望の特性インピーダンス値の範囲に対応したインダクタンス値の範囲が特定される。そして、短絡処理過程によって、選別対象のコモンモードチョークコイルの一のライン以外のラインのそれぞれの両端が短絡され、インダクタンス測定過程によって、選別対象のコモンモードチョークコイルの一のラインのインダクタンス値が測定される。しかる後、コイル選別過程において、インダクタンス測定過程で測定した選別対象のインダクタンス値が、許容インダクタンス範囲特定過程で特定したインダクタンス値の範囲内であるかが判断され、範囲内である場合に、当該選別対象のコモンモードチョークコイルは所望の特性インピーダンス値を有するものとして選別される。
【０００９】
また、請求項３の発明は、請求項１または請求項２に記載のコモンモードチョークコイル選別方法において、コモンモードチョークコイルは、２本のラインを有するものである構成とした。
【００１０】
さらに、請求項４の発明は、請求項１ないし請求項３のいずれかに記載のコモンモードチョークコイル選別方法において、選別表作成過程は、異なる複数種類の周波数について、選別表を複数作成するものである構成とした。
【００１１】
また、請求項５の発明は、請求項１ないし請求項４のいずれかに記載のコモンモードチョークコイル選別方法において、コモンモードチョークコイルのラインが、絶縁被覆導線である構成とした。
【００１２】
また、請求項６の発明は、請求項１ないし請求項４のいずれかに記載のコモンモードチョークコイル選別方法において、コモンモードチョークコイルのラインが、平行平板電極で構成されている構成とした。
【発明の効果】
【００１３】
以上説明したように、この発明のコモンモードチョークコイル選別方法によれば、短絡処理過程において、選別対象のコモンモードチョークコイルの一のライン以外のラインの両端を短絡し、インダクタンス測定過程において、選別対象のコモンモードチョークコイルの一のラインのインダクタンス値を測定することで、コモンモードチョークコイルの特性インピーダンスを選別することができるので、上記ＴＤＲのように、コモンモードチョークコイルを評価基板に半田付けして実装する必要がなく、この結果、大量のコモンモードチョークコイルを非破壊で簡易に選別することができるいう優れた効果がある。また、図８に示した従来の技術のように、配線導体の厚みｔと絶縁材１０２の厚さＨとが既知や一様でなくても、各コモンモードチョークコイルに対して、迅速に選別作業を行うことができる。
【発明を実施するための最良の形態】
【００１４】
以下、この発明の最良の形態について図面を参照して説明する。
【実施例１】
【００１５】
図１は、この発明の第１実施例に係るコモンモードチョークコイル選別方法を示す流れ図であり、図２は、この実施例のコモンモードチョークコイル選別方法に適用されるコモンモードチョークコイルの斜視図である。
図１に示すように、この実施例のコモンモードチョークコイル選別方法は、選別表作成過程Ｓ１と短絡処理過程Ｓ２とインダクタンス測定過程Ｓ３とコイル選別過程Ｓ４とを備えてなる。
【００１６】
かかる構成のコモンモードチョークコイル選別方法に適用されるコモンモードチョークコイルは、図２に示すコイル１である。
このコイル１は、巻線型コモンモードチョークコイルであり、２本のラインとしての絶縁被覆導線である巻線１１，１２をコア部材１０に巻回し、巻線１１，１２の両端を、コア部材１０の両端の鍔部１３，１４にそれぞれ設けられた入力電極１３ａ，１３ｂ及び出力電極１４ａ，１４ｂに接続した構造となっている。具体的には、一のラインとしての巻線１１の両端が入力電極１３ａ，出力電極１４ａに接続され、他のラインとしての巻線１２の両端が入力電極１３ｂ，出力電極１４ｂに接続されている。
【００１７】
選別表作成過程Ｓ１は、特性インピーダンス値Ｚが既知のコイル１における巻線１１のインダクタンス値Ｌｓと特性インピーダンス値Ｚとの相関を示す選別表Ｄを作成する過程である。なお、インダクタンス値Ｌｓは、コイル１の巻線１２を短絡させた状態で測定した巻線１１のインダクタンス値である。
図３は、選別表Ｄの一例を示す線図である。
この選別表Ｄでは、異なる２種類のターン数（コモンモードインピーダンス値Ｚｃがそれぞれ９０Ω，６７Ω）のコイル１について、巻線１１のインダクタンス値Ｌｓと特性インピーダンス値Ｚとの相関を示している。
ここでは、コモンモードインピーダンス値Ｚｃが９０Ωのコイル１について、巻線１２を短絡させた状態で、巻線１１に周波数１００ＭＨｚの信号を流し、そのとき測定した巻線１１のインダクタンス値Ｌｓと既知の特性インピーダンス値Ｚの相関を表す相関線Ａを作成する。具体的には、当該コイル１の巻線１１，１２間の間隔を巻線１１，１２が接触するまで狭めた場合の特性インピーダンス値Ｚは既知で約６３Ωであるとする。そして、かかる構造のコイル１における巻線１１のインダクタンス値Ｌｓを測定して、約６．７ｎＨであった場合には、相関線Ａの点Ｐ１をプロットする。以後、巻線１１，１２間の間隔を広げながら、巻線１１のインダクタンス値Ｌｓを測定してプロットする。そして、巻線１１，１２間の間隔を限界まで広げて約１１８Ωの特性インピーダンス値Ｚを有するコイル１の巻線１１について、インダクタンス値Ｌｓを測定し、約１３．１ｎＨであった場合には、相関線Ａの点Ｐ２をプロットする。このようにして得たプロットを連続させることにより、コモンモードインピーダンス値Ｚｃが９０Ωのコイル１についての相関線Ａを得ることができる。
コモンモードインピーダンスＺｃが６７Ωのコイル１についても、同様にして、相関線Ｂを得る。
このようにして、相関線Ａ，Ｂが描かれた選別表Ｄを作成した後、選別対象であるコイル１の選別過程Ｓ２〜Ｓ５を繰り返す。
【００１８】
短絡処理過程Ｓ２は、選別対象としてのコイル１の巻線１２両端を短絡する過程である。
図４は、短絡処理過程Ｓ２とインダクタンス測定過程Ｓ３とを説明するための概略図である。
すなわち、図４に示すように、巻線１２の両端が接続された入力電極１３ｂ，１４ｂを適当な導体を用いてショートさせることで、短絡処理過程Ｓ２を実行することができる。
【００１９】
インダクタンス測定過程Ｓ３は、選別対象としての巻線１１のインダクタンス値を測定するための過程であり、具体的には、図４に示すように、巻線１１の入力電極１３ａ，１４ａをインピーダンスアナライザ２に接続し、周波数１００ＭＨｚの信号Ｓを巻線１１に通して巻線１１のインダクタンス値を測定する。
なお、インダクタンス値を測定する装置は勿論インピーダンスアナライザに限定されるものではなく、他にインダクタンス値を測定可能な、例えば、ネットワークアナライザ等の装置であってもよい。
【００２０】
コイル選別過程Ｓ４は、インダクタンス測定過程Ｓ３で得た測定結果と選別表Ｄの相関線Ａ（又は相関線Ｂ）の特性インピーダンス値Ｚとを対比し、対応した特性インピーダンス値Ｚが所望の特性インピーダンス値にほぼ一致している場合に、インダクタンス測定過程Ｓ３で測定したコイル１は、所望の特性インピーダンス値を有しているものとして選別する過程である。
例えば、特性インピーダンス値が１００Ωのコモンモードチョークコイルかどうかを選別する場合には、上記インダクタンス測定過程Ｓ３で測定されたインダクタンス値が図３に示した選別表Ｄのいかなる特性インピーダンス値Ｚに対応しているかを確認する。
すなわち、選別対象であるコモンモードインピーダンス値Ｚｃが９０Ωであるコイル１の巻線１１のインダクタンス値が１１ｎＨなる測定結果を得た場合には、選別表Ｄの相関線Ａ上において、インダクタンス値１１ｎＨに対応する特性インピーダンス値Ｚを見る。すると、この特性インピーダンス値Ｚは、約１００Ωであると確認することができる。したがって、この特性インピーダンス値Ｚは所望特性インピーダンス値とほぼ一致するので、この選別対象のコイル１は、特性インピーダンス値が１００Ωのコモンモードチョークコイルであるとして、選別される。
また、ＨＤＭＩ規格に適合するコイルを選別する場合には、ＨＤＭＩ規格では１００Ωの±１５%の特性インピーダンス値Ｚが要求されるので、選別表Ｄの破線で示すように、特性インピーダンス値Ｚが８５Ω〜１１５Ω以内の特性インピーダンス値を有したコイル１か否かで選別することとなる。かかる場合には、測定インダクタンス値に対応した相関線Ａ上の特性インピーダンス値Ｚが８５Ω〜１１５Ω以内であるか否かを確認する。すなわち、測定インダクタンス値が約９．２５ｎＨ〜約１２．７ｎＨ以内であった場合には、そのコイル１は、ＨＤＭＩ規格に適合するコイルであるとして、選別される。
また、コモンモードインピーダンス値Ｚｃが６７Ωのコイル１がＨＤＭＩ規格に適合するコイルであるか否かを選別する場合には、相関線Ｂを確認対象とし、測定インダクタンス値に対応した相関線Ｂ上の特性インピーダンス値Ｚが８５Ω〜１１５Ω以内であるか否かを確認する。すなわち、測定インダクタンス値が約６．５ｎＨ〜約９．３ｎＨ以内のコイル１は、ＨＤＭＩ規格に適合するコイルであるとして、選別する。
【００２１】
次に、この実施例のコモンモードチョークコイル選別方法を用いて、大量のコイル１を選別する一例について説明する。
図５は、このコモンモードチョークコイル選別方法に適用する測定装置を示す概略図である。
図５に示すように、この測定装置は、インピーダンスアナライザ２から引き出された通電用の端子部３，４と短絡用の端子部５，６とを有している。これらの端子部３〜６は固定され、端子部５，６は、導体７によって短絡されており、コイル１を端子部３〜６上に載せると、入力電極１３ａ，出力電極１４ａが端子部３，４に、入力電極１３ｂ，出力電極１４ｂが端子部５，６に接触するようになっている。したがって、コイル１は固着されないので、端子部３〜６上に載せるだけで、測定を行うことができ、測定後に、コイル１を端子部３〜６上から簡単に取り出すことができる。
【００２２】
選別測定者は、選別表作成過程Ｓ１を実行して、図３に示した選別表Ｄを予め作成し、この選別表Ｄのデータを図５に示した測定装置を含む自動測定選別機（図示せず）にプログラムさせておく。すると、自動測定選別機によって、量産ラインで流れてくる製品としてのコイル１が図５に示す端子部３〜６上に導かれる。
これにより、短絡状態の端子部５，６がコイル１の入力電極１３ｂ，出力電極１４ｂに接触するので、短絡処理過程Ｓ２が自動的に実行される。
また、端子部３，４がコイル１の入力電極１３ａ，出力電極１４ａに接触しているので、自動測定選別機に含まれる上記測定装置のインピーダンスアナライザ２によって、インダクタンス測定過程Ｓ３を実行することができる。
ここでは、周波数１００ＭＨｚの信号Ｓを端子部３からコイル１の巻線１１に通電させ、巻線１１のインダクタンス値をインピーダンスアナライザ２で実測する。
【００２３】
しかる後、コモンモードインピーダンス値Ｚｃが９０Ωのコイル１がＨＤＭＩ規格適合品かの選別作業を行う場合には、インピーダンスアナライザ２で実測したインダクタンス値が選別表Ｄの相関線Ａにおけるインダクタンス値Ｌｓの約９．２５ｎＨ〜約１２．７ｎＨ以内にあるか否かを判断する。また、コモンモードインピーダンス値Ｚｃが６７Ωのコイル１については、実測インダクタンス値が相関線Ｂにおけるインダクタンス値Ｌｓの約６．５ｎＨ〜約９．３ｎＨ以内にあるか否かを判断する。そして、コイル１の測定インダクタンス値がこれらの範囲内であれば、選択対象のコイル１はＨＤＭＩ規格適合品であるとして選別し、これらの範囲外であれば、不適合品とする。
そして、かかる選別後、自動測定選別機により、コイル１が端子部３〜６の上から取り出されて、別のコイル１が端子部３〜６上に導かれ、この別のコイル１についても同様の自動測定が行なわれる。
このように、この実施例のコモンモードチョークコイル選別方法によれば、コイル１を極めて容易に選別することができるので、大量のコイル１を簡単且つ迅速に選別することができる。しかも、コイル１を端子部３〜６に半田付けすることなく接触させるだけで、その特性インピーダンス値を選別することができるので、非破壊でコイル１の選別作業を行うことができ、製品の選別方法として優れている。また、コイル１の各部材の厚さ等を予め測定しておく必要がないので、その分選別作業の迅速化を図ることができる。さらに、巻線１１のインダクタンス値のみを測定するので、測定のバラツキが生じることがほとんどなく、高精度な選別が可能となる。
【実施例２】
【００２４】
次に、この発明の第２実施例に係るコモンモードチョークコイル選別方法ついて説明する。
図６は、この発明の第２実施例に係るコモンモードチョークコイル選別方法を示す流れ図である。
図６に示すように、この実施例は、選別表作成過程Ｓ１の後段に許容インダクタンス範囲特定過程Ｓ１０を特設し、コイル選別過程として、第１実施例のコイル選別過程Ｓ４と異なるコイル選別過程Ｓ４０を設けた点が、上記第１実施例と異なる。
【００２５】
許容インダクタンス範囲特定過程Ｓ１０は、選別表作成過程Ｓ１で作成した選別表Ｄに基づいて、所望の特性インピーダンス値の範囲に対応したインダクタンス値の範囲を特定する過程である。
すなわち、特性インピーダンス値１００Ωのコモンモードチョークコイルについて、例えばＨＤＭＩ規格では、１００Ωの±１５%の特性インピーダンス値Ｚが適合品とされるので、図３に示すように、所望の特性インピーダンス値の範囲は、８５Ω〜１１５Ωである。
したがって、コモンモードインピーダンス値Ｚｃが９０Ωのコモンモードチョークコイルにおいて、この特性インピーダンス値の範囲に対応したインダクタンス値Ｌｓの範囲は、相関線Ａと破線との交点の範囲内であり、約９．２５ｎＨ〜約１２．７ｎＨである。また、コモンモードインピーダンス値Ｚｃが６７Ωのコモンモードチョークコイルにおいては、この特性インピーダンス値の範囲に対応したインダクタンス値Ｌｓの範囲は、相関線Ｂと破線との交点の範囲であり、約６．５ｎＨ〜約９．３ｎＨである。
このため、許容インダクタンス範囲特定過程Ｓ１０では、図３に示すように、約９．２５ｎＨ〜約１２．７ｎＨを範囲Ｌａとして特定し、約６．５ｎＨ〜約９．３ｎＨを範囲Ｌｂとして特定しておく。
【００２６】
短絡処理過程及びインダクタンス測定過程は、上記第１実施例の短絡処理過程Ｓ２及びインダクタンス測定過程Ｓ３と同様である。
【００２７】
また、コイル選別過程Ｓ４０は、インダクタンス測定過程Ｓ３で測定した選別対象のコイルのインダクタンス値が、許容インダクタンス範囲特定過程Ｓ１０で特定したインダクタンス値の範囲Ｌａ（Ｌｂ）内である場合に、このコイルの特性インピーダンス値は、所望の特性インピーダンス値の範囲８５Ω〜１１５Ωにあるものとして選別する過程である。
具体的には、コモンモードインピーダンス値Ｚｃが９０Ωのコモンモードチョークコイルについては、測定インダクタンス値が、選別表Ｄに示された範囲Ｌａ（約９．２５ｎＨ〜約１２．７ｎＨ）内にあるか否かを判断し、範囲Ｌａ内である場合には、このコイルを適合品として選別する。
また、コモンモードインピーダンス値Ｚｃが６７Ωのコモンモードチョークコイルについては、測定インダクタンス値が、範囲Ｌｂ（約６．５ｎＨ〜約９．３ｎＨ）内にあるか否かを判断し、範囲Ｌｂ内である場合には、このコイルを適合品として選別する。
【００２８】
このように、この実施例によれば、選別対象の測定インダクタンス値と選別表Ｄの特性インピーダンス値Ｚとを対比することなく、測定インダクタンス値が予め特定されたインダクタンス値の範囲Ｌａ（Ｌｂ）内にあるか否かを確認するだけで、選別を行うことができるので、選別作業の更なる迅速化を図ることができる。
その他の構成，作用及び効果は上記第１実施例と同様であるので、その記載は省略する。
【００２９】
なお、この発明は、上記実施例に限定されるものではなく、発明の要旨の範囲内において種々の変形や変更が可能である。
上記第１実施例では、周波数１００ＭＨｚの信号を用いてコイル１を選別するため、周波数１００ＭＨｚに対応した選別表Ｄを作成したが、他の周波数の信号を用いてコイル１を選別する場合には、当該他の周波数に対応した選別表Ｄを作成すればよい。携帯電話などに使用されるコモンモードチョークコイルでは、１００ＭＨｚ〜１ＧＨｚの周波数の信号に対応した選別表Ｄを作成しておくことが好ましい。また、選別表Ｄの対象コイルは、コモンモードインピーダンス値Ｚｃが６７Ω及び９０Ωのコイル１に限定されないことは勿論である。ターン数に応じた各種コモンモードインピーダンス値Ｚｃのコイルを選別表Ｄの対象とすることができる。
【００３０】
上記実施例では、選別対象として、２本のラインである巻線１１，１２を有したコイル１を適用したが、３本以上のラインを有したコモンモードチョークコイルについても、適用することができる。例えば、図７に示すように、３本のラインである巻線１１，１２−１，１２−２を有したコモンモードチョークコイルでは、図７（ａ）に示すように、巻線１２−１，１２−２の各々を短絡するか、図７（ｂ）に示すように、巻線１２−１，１２−２を一緒に短絡した状態で、巻線１１のインダクタンス値Ｌｓを測定することができる。
【００３１】
また、上記実施例では、巻線型のコイル１について適用したが、ラインを平行平板電極で構成したコイルについても適用することができる。すなわち、平板の直線状，ミアンダ状又はスパイラル状の２本以上のラインで構成された伝送線路型のコモンモードチョークコイルについても適用することができることは勿論である。
【図面の簡単な説明】
【００３２】
【図１】この発明の第１実施例に係るコモンモードチョークコイル選別方法を示す流れ図である。
【図２】第１実施例のコモンモードチョークコイル選別方法に適用されるコモンモードチョークコイルの斜視図である。
【図３】第１実施例のコモンモードチョークコイル選別方法に適用される選別表の一例を示す線図である。
【図４】短絡処理過程とインダクタンス測定過程とを説明するための概略図である。
【図５】コモンモードチョークコイル選別方法に適用する測定装置を示す概略図である。
【図６】この発明の第２実施例に係るコモンモードチョークコイル選別方法を示す流れ図である。
【図７】変形例を示す概略回路図である。
【図８】従来の技術を説明するための斜視図である。
【符号の説明】
【００３３】
１…コイル、  ２…インピーダンスアナライザ、  ３，〜，６…端子部、  １０…コア部材、  １１，１２…巻線、  １３，１４…鍔部、  １３ａ，１３ｂ…入力電極、  １４ａ，１４ｂ…出力電極、  Ａ，Ｂ…相関線、  Ｌａ，Ｌｂ…インダクタンス範囲、  Ｓ…信号。                                        
【図１】
2005235853.tif 000003
【図２】
2005235853.tif 000004
【図３】
2005235853.tif 000005
【図４】
2005235853.tif 000006
【図５】
2005235853.tif 000007
【図６】
2005235853.tif 000008
【図７】
2005235853.tif 000009
【図８】
2005235853.tif 000010